(57)【要約】【課題】トラッキングフィルタを備えた受信機において、妨害信号を受けても、良好な復調信号を出力できるようにする。【解決手段】受信機において、トラッキングフィルタ３はＲＦ信号を受け、その受信信号の選局毎にカットオフ周波数を変更して通過帯域を変更する。利得可変増幅回路５は前記トラッキングフィルタ３を通過した受信信号を増幅する。ＡＤコンバータ６は前記利得可変増幅回路５で増幅された受信信号をアナログ−デジタル変換し、復調部７は前記ＡＤコンバータ６でデジタル信号に変換された受信信号を復調する。そして、選択度制御部９は、前記受信信号の選局に応じて選局回路４から指示を受けて前記トラッキングフィルタ３の選択度Ｑを制御する。【選択図】図１
2012085144.tif 000002
【特許請求の範囲】
【請求項１】
ＲＦ信号を受け、この受信信号の選局に応じてカットオフ周波数を変更して受信信号の通過帯域を変更するトラッキングフィルタと、
前記トラッキングフィルタを通過した受信信号を増幅する利得可変増幅回路と、
前記利得可変増幅回路で増幅された受信信号をアナログ−デジタル変換するＡＤコンバータと、
前記ＡＤコンバータでデジタル信号に変換された受信信号を復調する復調部とを備えると共に、
前記受信信号の選局に応じて、前記トラッキングフィルタの選択度を制御する選択度制御部を備えた
ことを特徴とする受信機。
【請求項２】
前記請求項１記載の受信機において、
前記選択度制御部は、
前記トラッキングフィルタから前記利得可変増幅回路に至る信号経路と接地との間に配置された可変抵抗を有する
ことを特徴とする受信機。
【請求項３】
前記請求項２記載の受信機において、
前記選択度制御部は、
前記トラッキングフィルタのカットオフ周波数が高いほど、前記可変抵抗の抵抗値を大きく調整して、前記トラッキングフィルタの選択度を大きくする
ことを特徴とする受信機。
【請求項４】
前記請求項１記載の受信機において、
前記受信信号の選局に応じて、前記トラッキングフィルタの出力レベルの減衰量を制御する減衰量制御部を備えた
ことを特徴とする受信機。
【請求項５】
前記請求項４記載の受信機において、
前記減衰量制御部は、
前記トラッキングフィルタから前記利得可変増幅回路に至る信号経路に配置された固定容量と、
前記信号経路と接地との間に配置された可変容量とを有する
ことを特徴とする受信機。
【請求項６】
前記請求項５記載の受信機において、
前記減衰量制御部は、
前記トラッキングフィルタのカットオフ周波数が高いほど、前記可変容量の容量値を大きく調整して、前記トラッキングフィルタの出力レベルの減衰量を大きくする
ことを特徴とする受信機。
【請求項７】
前記請求項１記載の受信機において、
前記トラッキングフィルタから前記利得可変増幅回路に至る信号経路のＤＣ動作点の電圧を制御するＤＣ動作点制御部を備えた
ことを特徴とする受信機。
【請求項８】
前記請求項７記載の受信機において、
前記ＤＣ動作点制御部は、
所定電圧を減圧して前記ＤＣ動作点に供給する可変抵抗を有する
ことを特徴とする受信機。
【請求項９】
前記請求項１又は４記載の受信機において、
前記トラッキングフィルタのカットオフ周波数近傍の妨害信号のレベルを検出する妨害信号検出部を備えた
ことを特徴とする受信機。
【請求項１０】
前記請求項９記載の受信機において、
前記選択度制御部は、
前記妨害信号検出部が検出した妨害信号のレベルを受け、この妨害信号のレベルに応じて、前記トラッキングフィルタの選択度を制御する
ことを特徴とする受信機。
【請求項１１】
前記請求項１０記載の受信機において、
前記選択度制御部は、
前記妨害信号のレベルが高いほど、前記トラッキングフィルタの選択度を大きく制御する
ことを特徴とする受信機。
【請求項１２】
前記請求項９記載の受信機において、
前記減衰量制御部は、
前記妨害信号検出部が検出した妨害信号のレベルを受け、この妨害信号のレベルに応じて、前記トラッキングフィルタの出力レベルの減衰量を制御する
ことを特徴とする受信機。
【請求項１３】
前記請求項１２記載の受信機において、
前記減衰量制御部は、
前記妨害信号のレベルが高いほど、前記トラッキングフィルタの出力レベルの減衰量を大きく制御する
ことを特徴とする受信機。
【請求項１４】
前記請求項１又は２記載の受信機において、
前記トラッキングフィルタのカットオフ周波数の周波数ずれをトリミングするトリミング手段を備えた
ことを特徴とする受信機。
【請求項１５】
前記請求項１４記載の受信機において、
前記トリミング手段は、
前記ＡＤコンバータでアナログ−デジタル変換された受信信号のレベルを希望信号レベルとして検出する希望信号レベル検出部を備え、
希望信号レベル検出部は、
前記希望信号レベル検出部で検出した希望信号レベルが最大となるように、前記トラッキングフィルタのカットオフ周波数を制御する
ことを特徴とする受信機。
【請求項１６】
前記請求項１４又は１５記載の受信機において、
前記トリミング手段は、
前記トラッキングフィルタのカットオフ周波数の周波数ずれのトリミングを、前記受信信号の選局毎に行う
ことを特徴とする受信機。
【請求項１７】
前記請求項１又は２記載の受信機において、
前記トラッキングフィルタは、
その入力から出力に至る信号経路に直列に配置されたインダクタと、
前記入力から出力に至る信号経路と接地との間に配置された可変容量とを備える
ことを特徴とする受信機。
【発明の詳細な説明】
【技術分野】
【０００１】
本発明は、受信機に関するものである。
【背景技術】
【０００２】
近年、受信機においては、受信性能の向上とシステム構成の簡素化（システムコストの削減）が求められており、広帯域で受信信号を受け且つ妨害信号に対する受信性能を向上させる手段が必須となることが予想される。
【０００３】
以下、従来の受信機の一例について、図１４に従って説明する。同図において、受信機は、アンテナ１、ＲＦ増幅器２、トラッキングフィルタ３、選局回路４、利得可変増幅器５、ＡＤコンバータ６、復調部７、及び復調信号出力端子８とにより構成される。
【０００４】
以上のように構成された従来のＦＭ受信機の動作を説明する。図１４において、アンテナ１で受信した放送局信号はＲＦ増幅器２で増幅された後、トラッキングフィルタ３で所望の受信信号以外の妨害信号が減衰される。トラッキングフィルタ３の通過帯域を通過した所望の受信信号は、その後段の利得可変増幅器５でＡＤコンバータ６の入力レンジに最適化されるように利得制御されて、ＡＤコンバータ６に入力される。このＡＤコンバータ６でデジタル信号に変換された所望の受信信号は復調部７で復調され、その復調信号が復調信号出力端子８から出力される。
【０００５】
一方、選局回路４は、操作者の選局操作に応じて、トラッキングフィルタ３において所望の受信信号以外の妨害信号が減衰されるように、トラッキングフィルタ３のカットオフ周波数を変更して、受信信号の通過帯域を制御する。
【先行技術文献】
【特許文献】
【０００６】
【特許文献１】特開平１０−１６４１６４号公報
【発明の概要】
【発明が解決しようとする課題】
【０００７】
しかしながら、前記従来の受信機、特に、所望の受信信号以外の妨害信号のレベルが時々刻々と変化するような移動体向け受信機では、良好な復調信号出力が得られ難いという問題があった。
【０００８】
本発明は、前記従来の問題を解決するものであり、その目的は、受信信号の選局時、すなわち、トラッキングフィルタのカットオフ周波数ｆｐの変更時には、その変更に応じてトラッキングフィルタの選択度Ｑ（Quality factor）が大小変化して、その信号通過帯域の幅が拡大又は縮小変化して、妨害信号に対する復調信号出力の品質劣化が生じる点に着目し、どの周波数の受信信号が選局される場合であっても、トラッキングフィルタの選択度Ｑを大きく保持して、その信号通過帯域を狭帯域として、妨害信号による復調信号出力の品質劣化を極めて受け難い受信機を提供することにある。
【課題を解決するための手段】
【０００９】
前記目的を達成するため、請求項１記載の発明の受信機は、ＲＦ信号を受け、この受信信号の選局に応じてカットオフ周波数を変更して受信信号の通過帯域を変更するトラッキングフィルタと、前記トラッキングフィルタを通過した受信信号を増幅する利得可変増幅回路と、前記利得可変増幅回路で増幅された受信信号をアナログ−デジタル変換するＡＤコンバータと、前記ＡＤコンバータでデジタル信号に変換された受信信号を復調する復調部とを備えると共に、前記受信信号の選局に応じて、前記トラッキングフィルタの選択度を制御する選択度制御部を備えたことを特徴とする。
【００１０】
請求項２記載の発明は、前記請求項１記載の受信機において、前記選択度制御部は、前記トラッキングフィルタから前記利得可変増幅回路に至る信号経路と接地との間に配置された可変抵抗を有することを特徴とする。
【００１１】
請求項３記載の発明は、前記請求項２記載の受信機において、前記選択度制御部は、前記トラッキングフィルタのカットオフ周波数が高いほど、前記可変抵抗の抵抗値を大きく調整して、前記トラッキングフィルタの選択度を大きくすることを特徴とする。
【００１２】
請求項４記載の発明は、前記請求項１記載の受信機において、前記受信信号の選局に応じて、前記トラッキングフィルタの出力レベルの減衰量を制御する減衰量制御部を備えたことを特徴とする。
【００１３】
請求項５記載の発明は、前記請求項４記載の受信機において、前記減衰量制御部は、前記トラッキングフィルタから前記利得可変増幅回路に至る信号経路に配置された固定容量と、前記信号経路と接地との間に配置された可変容量とを有することを特徴とする。
【００１４】
請求項６記載の発明は、前記請求項５記載の受信機において、前記減衰量制御部は、前記トラッキングフィルタのカットオフ周波数が高いほど、前記可変容量の容量値を大きく調整して、前記トラッキングフィルタの出力レベルの減衰量を大きくすることを特徴とする。
【００１５】
請求項７記載の発明は、前記請求項１記載の受信機において、前記トラッキングフィルタから前記利得可変増幅回路に至る信号経路のＤＣ動作点の電圧を制御するＤＣ動作点制御部を備えたことを特徴とする。
【００１６】
請求項８記載の発明は、前記請求項７記載の受信機において、前記ＤＣ動作点制御部は、所定電圧を減圧して前記ＤＣ動作点に供給する可変抵抗を有することを特徴とする。
【００１７】
請求項９記載の発明は、前記請求項１又は４記載の受信機において、前記トラッキングフィルタのカットオフ周波数近傍の妨害信号のレベルを検出する妨害信号検出部を備えたことを特徴とする。
【００１８】
請求項１０記載の発明は、前記請求項９記載の受信機において、前記選択度制御部は、前記妨害信号検出部が検出した妨害信号のレベルを受け、この妨害信号のレベルに応じて、前記トラッキングフィルタの選択度を制御することを特徴とする。
【００１９】
請求項１１記載の発明は、前記請求項１０記載の受信機において、前記選択度制御部は、前記妨害信号のレベルが高いほど、前記トラッキングフィルタの選択度を大きく制御することを特徴とする。
【００２０】
請求項１２記載の発明は、前記請求項９記載の受信機において、前記減衰量制御部は、前記妨害信号検出部が検出した妨害信号のレベルを受け、この妨害信号のレベルに応じて、前記トラッキングフィルタの出力レベルの減衰量を制御することを特徴とする。
【００２１】
請求項１３記載の発明は、前記請求項１２記載の受信機において、前記減衰量制御部は、前記妨害信号のレベルが高いほど、前記トラッキングフィルタの出力レベルの減衰量を大きく制御することを特徴とする。
【００２２】
請求項１４記載の発明は、前記請求項１又は２記載の受信機において、前記トラッキングフィルタのカットオフ周波数の周波数ずれをトリミングするトリミング手段を備えたことを特徴とする。
【００２３】
請求項１５記載の発明は、前記請求項１４記載の受信機において、前記トリミング手段は、前記ＡＤコンバータでアナログ−デジタル変換された受信信号のレベルを希望信号レベルとして検出する希望信号レベル検出部を備え、希望信号レベル検出部は、前記希望信号レベル検出部で検出した希望信号レベルが最大となるように、前記トラッキングフィルタのカットオフ周波数を制御することを特徴とする。
【００２４】
請求項１６記載の発明は、前記請求項１４又は１５記載の受信機において、前記トリミング手段は、前記トラッキングフィルタのカットオフ周波数の周波数ずれのトリミングを、前記受信信号の選局毎に行うことを特徴とする。
【００２５】
請求項１７記載の発明は、前記請求項１又は２記載の受信機において、前記トラッキングフィルタは、その入力から出力に至る信号経路に直列に配置されたインダクタと、前記入力から出力に至る信号経路と接地との間に配置された可変容量とを備えることを特徴とする。
【００２６】
以上により、請求項１〜３記載の発明の受信機では、受信信号の選局毎、すなわち、トラッキングフィルタでそのカットオフ周波数が変更される毎に、トラッキングフィルタの選択度は大小変化しようとするが、選択度制御部がその選択度を大きく保持するように制御するので、トラッキングフィルタの信号通過帯域が狭帯域となって、妨害信号の影響を受け難くなり、良好な復調信号出力を得ることができる。
【００２７】
また、請求項４〜６記載の発明では、前記選択度制御部がトラッキングフィルタの選択度を大小制御すると、それに応じてトラッキングフィルタの利得も変化してその出力信号レベルが大小変化しようとするが、減衰量制御部がその利得を調整するので、トラッキングフィルタの出力信号レベルをそのカットオフ周波数に拘わらず所望値に一定保持することが可能である。
【００２８】
更に、請求項７及び８記載の発明では、トラッキングフィルタのＤＣ動作点を制御できるので、トラッキングフィルタの後段に配置される利得可変増幅回路の入力レンジにＤＣ動作点を最適化することができる。
【００２９】
加えて、請求項９〜１３記載の発明では、トラッキングフィルタのカットオフ周波数近傍の妨害信号のレベルに応じてトラッキングフィルタの選択度や減衰量が制御されるので、例えばその妨害信号のレベルが高くてその影響を強く受ける状況では、選択度が大きく制御されて、トラッキングフィルタの信号通過帯域が狭帯域に調整され、良好な復調信号出力が得られる。従って、妨害信号レベルが時々刻々と変化する場合であっても、常に良好な復調信号出力を得ることが可能である。
【００３０】
また、請求項１４〜１６記載の発明では、トラッキングフィルタのカットオフ周波数の周波数ずれがトリミングされるので、周囲温度の変化や部品固有のばらつきがあっても、常に妨害信号の影響を受け難い良好な復調信号出力を得ることができる。
【発明の効果】
【００３１】
以上説明したように、請求項１〜１７記載の発明の受信機によれば、トラッキングフィルタのカットオフ周波数に応じてその選択度を制御したので、妨害信号の影響を受け難い良好な復調信号出力を得ることができる。
【図面の簡単な説明】
【００３２】
【図１】本発明の実施形態１における受信機のブロック構成を示す図である。
【図２】同受信機に備えるトラッキングフィルタ、選択度制御部及び減衰量制御部の内部構成例を示す図である。
【図３】同図（ａ）は同トラッキングフィルタに備える可変容量を可変制御した場合のカットオフ周波数の変化を示す図、同図（ｂ）はその可変容量の容量値とカットオフ周波数との対応関係を示す図である。
【図４】同図（ａ）は同選択度制御部に備える可変抵抗を可変制御した場合のトラッキングフィルタの選択度の変化を示す図、同図（ｂ）はその可変抵抗の抵抗値とカットオフ周波数との対応関係を示す図である。
【図５】同図（ａ）は同減衰量制御部に備える可変容量を可変制御した場合のトラッキングフィルタの出力レベルの変化を示す図、同図（ｂ）はその可変容量の容量値とカットオフ周波数との対応関係を示す図である。
【図６】同図（ａ）はトラッキングフィルタに備える可変容量の可変制御によってカットオフ周波数を変更した場合に、選択度制御部の可変抵抗及び減衰量制御部の可変容量の制御によるトラッキングフィルタの選択度及び出力レベルの調整の様子を示す図、同図（ｂ）はトラッキングフィルタのカットオフ周波数とトラッキングフィルタの可変容量と選択度制御部の可変抵抗と減衰量制御部の可変容量との対応関係を示す図である。
【図７】本発明の実施形態２における受信機のブロック構成を示す図である。
【図８】同受信機に備えるトラッキングフィルタ、選択度制御部及びＤＣ動作点制御部の構成例を示す図である。
【図９】本発明の実施形態３における受信機のブロック構成を示す図である。
【図１０】同受信機に備えるトラッキングフィルタ、選択度制御部及び減衰量制御部の構成例を示す図である。
【図１１】同図（ａ）は希望信号に対して妨害信号レベルが高い様子を説明する図、同図（ｂ）はトラッキングフィルタの選択度を制御して希望信号に対する妨害信号の影響を軽減する様子を説明する図である。
【図１２】同図（ａ）は妨害信号レベルと選択度制御部の可変抵抗の抵抗値と減衰量制御部の可変容量の容量値との対応関係を示す図、同図（ｂ）は選択度制御部の可変抵抗の可変制御によってトラッキングフィルタの選択度を変更する様子を示す図、同図（ｃ）は減衰量制御部の可変容量の可変制御によってトラッキングフィルタの出力レベルを変更する様子を示す図である。
【図１３】本発明の実施形態４における受信機のブロック構成を示す図である。
【図１４】従来の受信機のブロック構成の一例を示す図である。
【発明を実施するための形態】
【００３３】
（実施形態１）
以下、本発明の実施形態１における受信機について図を用いて説明する。
【００３４】
図１は本発明の実施形態１における受信機の構成を示すブロック図である。
【００３５】
同図に示した受信機は、特に、所望の受信信号以外の妨害信号のレベルが時々刻々と変化するような移動体向け受信機である。そして、この受信機は、アンテナ１、ＲＦ増幅器２、トラッキングフィルタ３、選局回路４、利得可変増幅器５、ＡＤコンバータ６、復調部７及び復調信号出力端子８とを有する。更に、前記受信機は、本願発明に特徴的な選択度制御部９と、減衰量制御部１０とをも有している。
【００３６】
次に、前記受信機の詳細な構成を説明する。
【００３７】
図１において、アンテナ１で受信した放送局信号はＲＦ増幅器２で増幅される。選局回路４は操作者の選局操作毎に所望の受信信号を選択する信号をトラッキングフィルタ３に出力する。トラッキングフィルタ３は、前記選択信号に基づいて前記ＲＦ増幅器２から受けたＲＦ信号のうち所望の受信信号以外の妨害信号を減衰させるように、カットオフ周波数を変更して、受信信号の通過帯域を変更する。前記トラッキングフィルタ３の通過帯域を通過した所望の受信信号は、利得可変増幅器５において、その後段のＡＤコンバータ６の入力レンジに最適化されるように利得制御された後、ＡＤコンバータ６に入力される。ＡＤコンバータ６でデジタル信号に変換された所望の受信信号は復調部７で復調され、復調信号出力端子８から出力される。
【００３８】
そして、前記選択度制御部９は、トラッキングフィルタ３の各カットオフ周波数における通過帯域の幅を可変に制御するものであり、トラッキングフィルタ３の通過帯域を狭くする必要がある場合に、その制御を実施する。また、前記減衰量制御部１０は、その後段に配置される利得可変増幅器５に入力される信号が最適なレベルとなるようにトラッキングフィルタ３の出力レベルの減衰量を可変に制御する。
【００３９】
次に、前記トラッキングフィルタ３、選択度制御部９及び減衰量制御部１０の内部構成例を図２に示す。
【００４０】
図２において、トラッキングフィルタ３は、入力端子Ｖ１から出力端子Ｖ２に至る信号経路１７に配置されたインダクタＬと、前記信号経路１７と接地との間に配置された可変容量Ｃ１とにより構成される。選局回路４は、操作者の選局操作に応じて前記可変容量Ｃ１の容量値を変更する信号を出力し、この可変容量Ｃ１の容量値の変更により、トラッキングフィルタ３のカットオフ周波数ｆｐを変更する。
【００４１】
また、選択度制御部９は、トラッキングフィルタ３のインダクタＬと出力端子Ｖ２との間の信号経路と接地との間に配置された可変抵抗Ｒ１を備え、この可変抵抗Ｒ１の抵抗値の調整により、トラッキングフィルタ３の選択度Ｑを制御する。この選択度Ｑの制御の詳細は後述する。
【００４２】
更に、減衰量制御部１０は、前記選択度制御部９の後段に配置されており、前記インダクタＬと出力端子Ｖ２との間の信号経路に配置された固定容量Ｃ２と、この固定容量Ｃ２から出力端子Ｖ２への信号経路と接地との間に配置された可変容量Ｃ３とにより構成される。
【００４３】
前記トラッキングフィルタ３、選択度制御部９及び減衰量制御部１０の動作を説明する。図２において、入力端子Ｖ１から出力端子Ｖ２の間で２次ローパスフィルタが構成されており、トラッキングフィルタ３のカットオフ周波数をｆｐ、トラッキングフィルタ３の選択度をＱとすると、その伝達関数Ｈ（Ｓ）は以下の式で表わされる。
【００４４】
【数１】
2012085144.tif 000003
【００４５】
上式の通り、カットオフ周波数ｆｐには、選択度制御部９の可変抵抗Ｒ１の項が含まれないので、カットオフ周波数ｆｐの制御は選択度Ｑの制御とは独立して実施することが可能となる。ここで、トラッキングフィルタ３の可変容量Ｃ１と減衰量制御部１０の固定容量Ｃ２及び可変容量Ｃ３の各容量値間の関係を、Ｃ１＞＞Ｃ２、Ｃ３とすると、カットオフ周波数ｆｐは、ｆｐ＝１／（２π√Ｌ・Ｃ１）と近似することができ、カットオフ周波数ｆｐをトラッキングフィルタ３の可変容量Ｃ１によって可変とし、所望周波数の受信信号のみを通過させるフィルタを構成することが可能となる。トラッキングフィルタ３において、カットオフ周波数ｆｐと可変容量Ｃ１の容量値との関係は、図３（ａ）及び（ｂ）に示すように、可変容量Ｃ１の容量値を順次小さく制御すると（Ｃ１１＞Ｃ１２＞Ｃ１３）、カットオフ周波数ｆｐは高く制御される。
【００４６】
また、上式の通り、トラッキングフィルタ３の選択度Ｑの式の分子にトラッキングフィルタ３の可変容量Ｃ１が含まれているため、トラッキングフィルタ３のカットオフ周波数ｆｐを高く制御しようとして可変容量Ｃ１の容量値を小さく制御すると、図３（ａ）から判るように選択度Ｑが低下し、通過帯域幅が拡大変化する。従って、選択度Ｑが低下すると、通過帯域幅の拡大に伴って、その拡大した通過帯域に妨害信号が入って、妨害信号に対する減衰量が不足し、所望の受信信号を良好に復調できない問題が発生する。この問題を回避するために、選択度制御部９の可変抵抗Ｒ１を制御して、選択度Ｑの低下を防止し、良好な復調出力を得るようにする。具体的には、図４（ａ）に示すように、例えばカットオフ周波数Ｆｐ３おいて選択度制御部９の可変抵抗Ｒ１の抵抗値を順次大きく（Ｒ１５＜Ｒ１６＜Ｒ１７）制御すると、このカットオフ周波数ｆｐ３での選択度Ｑは大きく制御されて、通過帯域幅は狭く制御される。複数のカットオフ周波数ｆｐ１、ｆｐ２、ｆｐ３間では、図４（ｂ）に示すように、カットオフ周波数が高くなるに従い（ｆｐ１＜ｆｐ２＜ｆｐ３）、選択度Ｑは通常では低下するため、選択度制御部９の可変抵抗Ｒ１を順次大きく（Ｒ１１＜Ｒ１２＜Ｒ１３）制御する。
【００４７】
更に、上式の通り、トラッキングフィルタ３の出力レベル、すなわち利得は、Ｃ２／（Ｃ２＋Ｃ３）と選択度Ｑとに比例するので、選択度Ｑが高くなると利得が大きくなり、選択度Ｑが低下すると利得が低下する関係にある。選択度Ｑの制御によって変化した利得は、減衰量制御部１０の可変容量Ｃ３によって可変に減衰制御することにより、調整可能である。具体的には、図５（ａ）に示すように、例えばカットオフ周波数Ｆｐ３おいて減衰量制御部１０の可変容量Ｃ３の容量値を順次大きく（Ｃ３５＜Ｃ３６＜Ｃ３７）制御すると、このカットオフ周波数ｆｐ３での減衰量が大きく制御されて、トラッキングフィルタ３の出力レベルは低下制御される。複数のカットオフ周波数ｆｐ１、ｆｐ２、ｆｐ３間では、図５（ｂ）に示すように、カットオフ周波数が高くなるに従い（ｆｐ１＜ｆｐ２＜ｆｐ３）、前記選択度Ｑが大きくなって、利得が通常では大きくなるため、減衰量制御部１０の可変容量Ｃ３を順次大きく（Ｃ３１＜Ｃ３２＜Ｃ３３）制御する。
【００４８】
以上を総合すると、図６（ｂ）に示すように、トラッキングフィルタ３において可変容量Ｃ１を容量値Ｃ１１、Ｃ１２、Ｃ１３（Ｃ１１＞Ｃ１２＞Ｃ１３）に調整してカットオフ周波数ｆｐをｆｐ１、ｆｐ２、ｆｐ３（ｆｐ１＜ｆｐ２＜ｆｐ３）に制御する際には、同時に選局回路４が、選択度制御部９の可変抵抗Ｒ１を、予め設定しておいた抵抗値Ｒ１１、Ｒ１２、Ｒ１３（Ｒ１１＜Ｒ１２＜Ｒ１３）に制御すると共に、減衰量制御部１０の可変容量Ｃ３を、予め設定しておいた容量値Ｃ３１、Ｃ３２、Ｃ３３（Ｃ３１＜Ｃ３２＜Ｃ３３）に制御して、同図（ａ）に示すように、選択度Ｑ及びトラッキングフィルタ３の出力レベルを各カットオフ周波数ｆｐ１、ｆｐ２、ｆｐ３間で同一値に制御する。このように、選局回路４には、トラッキングフィルタ３のカットオフ周波数ｆｐの各周波数値に対する可変容量Ｃ１の各容量値と、選択度制御部９の可変抵抗Ｒ１の各抵抗値と、減衰量制御部１０の可変容量Ｃ３の各容量値との間の図６（ｂ）に示す対応関係が予め記憶されている。
【００４９】
従って、本実施形態では、例えば図６（ａ）において、各カットオフ周波数ｆｐ１、ｆｐ２、ｆｐ３間で選択度Ｑ及びトラッキングフィルタ３の出力レベルが同一値に制御されるので、図３（ａ）に示した従来のように選択度Ｑが低下して通過帯域幅が拡がったカットオフ周波数ｆｐの選択時に妨害信号の影響を受け易くなることを抑制して、何れのカットオフ周波数ｆｐを選択しても、常に妨害信号の影響を受け難くできて、良好な復調信号出力を得ることができる。
【００５０】
尚、本実施形態では、カットオフ周波数ｆｐが３つの値ｆｐ１、ｆｐ２、ｆｐ３を採る場合を例示したが、４値以上の多値の場合であっても、予め、選択度制御部９の可変抵抗Ｒ１の抵抗値と減衰量制御部１０の可変容量Ｃ３の容量値とを各カットオフ周波数で予め設定しておけば良い。
【００５１】
（実施形態２）
以下、本発明の実施形態２の受信機について図７を用いて説明する。
【００５２】
図７は、本発明の実施形態２における受信機の構成を示すブロック図である。本実施形態が前記実施形態１と異なる点は、ＤＣ動作点制御部１１を配置した点である。尚、図７では、図１に示した減衰量制御部１０を削除しているが、図１と同様に配置する構成を採用しても良い。
【００５３】
本実施形態では、図７において、アンテナ１で受信した放送局信号が復調されて復調信号出力端子８から出力されるまでの信号処理は、前記実施形態１と同様である。
【００５４】
ＤＣ動作点制御部１１は、選局操作毎に選局回路４からの指令信号を受けて、トラッキングフィルタ３の出力端子Ｖ２であるＤＣ動作点の電圧を可変に制御するものであり、後段に配置される利得可変増幅器５の入力レンジに前記ＤＣ動作点の電圧を最適化する必要がある場合に、その制御を行うものである。
【００５５】
図８は、前記トラッキングフィルタ３、選択度制御部９及び前記ＤＣ動作点制御部１１の内部構成例を示す。同図では、トラッキングフィルタ３、選択度制御部９の内部構成は前記実施形態１と同様であるので、その説明を省略する。前記ＤＣ動作点制御部１１は、所定電源ＶＲと前記トラッキングフィルタ３のＤＣ動作点Ａとの間に配置された可変抵抗Ｒ２を有する。
【００５６】
以上のように構成されたＤＣ動作点制御部１１の動作について説明する。
【００５７】
図８において、ＤＣ動作点制御部１１の可変抵抗Ｒ２は、所定電源ＶＲの基準電圧とＤＣ動作点Ａとの間に接続されており、選択度制御部９の可変抵抗Ｒ１は前記ＤＣ動作点Ａと接地との間に接続されているので、ＤＣ動作点Ａの電圧はＶＲ・Ｒ１／（Ｒ１＋Ｒ２）で決定される。従って、ＤＣ動作点制御部１１の可変抵抗Ｒ２の抵抗値を可変することにより、トラッキングフィルタ３のＤＣ動作点Ａの電圧を可変に制御することが可能となり、後段に接続される利得可変増幅器５の入力レンジにＤＣ動作点Ａの電圧を最適化することが可能である。
【００５８】
（実施形態３）
次に、本発明の実施形態３のる受信機について図を用いて説明する。
【００５９】
図９は本発明の実施形態３の受信機の構成を示すブロック図である。本実施形態では、図１に示した実施形態１の受信機に対して更にＡＤコンバータ１２と妨害信号検出部１３とを追加した構成を有する。
【００６０】
前記ＡＤコンバータ１２は、ＲＦ増幅器２からの受信信号をデジタル信号に変換して妨害信号検出部１３に出力する。前記妨害信号検出部１３には、所望周波数の希望信号のレベルと、その希望信号の周波数近傍の妨害信号のレベルとを検出して両者を比較し、前記妨害信号のレベルが所望の希望信号レベルと同等、又は妨害信号のレベルが所望の希望信号レベル以上というような、妨害信号の影響を強く受ける電界状況を検出する。強い妨害信号レベルを検出した場合、この妨害信号検出部１３は、選択度制御部９及び減衰量制御部１０を制御して、妨害信号レベルを低減させるように制御を実施する。以下、具体的に説明する。
【００６１】
図１０は、本実施形態でのトラッキングフィルタ３、選択度制御部９及び減衰量制御部１０の内部構成例を示す。トラッキングフィルタ３の内部構成は図１と同様である。選択度制御部９は、可変抵抗Ｒ１と他の可変抵抗Ｒ３とを備える。前記可変抵抗Ｒ１は、実施形態１と同様に、選択度Ｑを各カットオフ周波数ｆｐで同一値に制御するためのものであり、他の可変抵抗Ｒ３は前記妨害信号検出部１３によって可変制御される。また、減衰量制御部１０は、固定容量Ｃ２と、可変容量Ｃ３と、他の可変容量Ｃ４とを備える。前記可変容量Ｃ３は、実施形態１と同様に、トラッキングフィルタ３の出力レベルを各カットオフ周波数ｆｐで同一値に制御するためのものであり、他の可変容量Ｃ４は前記妨害信号検出部１３によって可変制御される。
【００６２】
次に、前記妨害信号検出部１３が強い妨害信号レベルを検出し、この検出時に前記選択度制御部９及び減衰量制御部１０を制御する場合を説明する。
【００６３】
図１１（ａ）は、妨害信号検出部１３が選択度制御部９及び減衰量制御部１０を制御する以前の、トラッキングフィルタ３の周波数特性と、ＡＤコンバータ１２に入力される希望信号レベル及び妨害信号レベルとの関係を示したものであり、希望信号レベルとその希望信号の周波数近傍の妨害信号レベルとがほぼ同レベルの状態を示している。
【００６４】
妨害信号検出部１３は、希望信号の周波数近傍の妨害信号レベルを検出し、その妨害信号レベルが図１２（ａ）に示すように所定値ＵＬ１以上の場合に、その妨害信号レベルが例えば予め記憶した３つの値ＵＬ１、ＵＬ２、ＵＬ３（ＵＬ１＜ＵＬ２＜ＵＬ３）の何れかであれば、その妨害信号レベルに対応して前記選択度制御部９の可変抵抗Ｒ３を予め設定した抵抗値Ｒ３１、Ｒ３２、Ｒ３３（Ｒ３１＜Ｒ３２＜Ｒ３３）の何れかに設定することにより、その妨害信号レベルが大きいほど図１２（ｂ）のように選択度Ｑを大きくして、通過帯域を狭帯域にする。これにより、図１１（ｂ）に示すように、妨害信号レベルが大きい場合であっても、狭通過帯域によって妨害信号レベルを減衰させる。
【００６５】
更に、前記選択度制御部９の可変抵抗Ｒ３を大きく変更するほど、既述の通りトラッキングフィルタ３の出力レベルが高くなるため、妨害信号検出部１３は減衰量制御部１０の可変容量Ｃ４を、図１２（ａ）のように大きく（Ｃ４１＜Ｃ４２＜Ｃ４３）制御して減衰量を高めて、図１２（ｃ）の通り、トラッキングフィルタ３の出力レベルを低く調整する。
【００６６】
尚、トラッキングフィルタ３の周波数特性を狭通過帯域に維持した場合には、群遅延歪によって所望の受信信号の復調信号の品質が劣化する場合があるために、常に狭通過帯域に制御することは望ましくない。しかし、本実施形態では、妨害信号レベルが所定値ＵＬ１未満で低い場合や妨害信号が存在しない受信状況に遷移した場合には、妨害信号検出部１３が選択度制御部９の可変抵抗Ｒ３及び減衰量制御部１０の可変容量Ｃ４を極く小さな初期値に戻す制御を行う。従って、妨害信号レベルが所定値ＵＬ１未満の場合には、トラッキングフィルタ３の選択度Ｑは図４に示した通常値に維持されて、通常の通過帯域幅が確保される。
【００６７】
よって、本実施形態では、妨害信号のレベルに応じてトラッキングフィルタ３の選択度及び減衰量を制御するので、妨害信号レベルが時々刻々と変化する場合でも、その妨害信号を適切に減衰させて、良好な復調信号出力を得ることが可能である。
【００６８】
尚、本実施形態では、選択度制御部９に別途可変抵抗Ｒ３を設けると共に、減衰量制御部１０に別途可変容量Ｃ４を設けて、それ等の値を妨害信号検出部１３が検出した妨害信号のレベルに応じて制御するようにしたが、本発明はこれに限定されず、その他、例えば、選択度制御部９及び減衰量制御部１０を図２の構成として別途に可変抵抗Ｒ３や可変容量Ｃ４を設けない構成とし、選局回路４が妨害信号検出部１３から指示を受けて選択度制御部９の可変抵抗Ｒ１の値と減衰量制御部１０の可変容量Ｃ３の値とを追加的に可変制御する構成としても良いのは、勿論である。
【００６９】
（実施形態４）
以下、本発明の実施形態４の受信機について図を用いて説明する。
【００７０】
図１３は、本発明の実施形態４における受信機の構成を示すブロック図である。
【００７１】
本実施形態では、トラッキングフィルタ３のカットオフ周波数ｆｐをトリミングするようにしたものである。
【００７２】
図１３において、受信機は、アンテナ１、ＲＦ増幅器２、トラッキングフィルタ３、利得可変増幅器５、ＡＤコンバータ６、復調部７、復調信号出力端子８を備えると共に、更に、スイッチ１４、信号発生回路１５、希望信号レベル検出部１６を備えている。これ等の構成要素１４〜１６によりトリミング手段１８を構成している。
【００７３】
続いて、本実施形態の受信機の詳しい構成を説明する。
【００７４】
図１３において、スイッチ１４はＲＦ増幅器２とトラッキングフィルタ３との間に配置される。このスイッチ１４が図中Ｐ１側に接続されている場合には、アンテナ１で受信した放送局信号が復調部７で復調されて復調信号出力端子８から出力されるまでの信号処理は前記実施形態１と同様である。
【００７５】
希望信号レベル検出部１６は、ＡＤコンバータ６の出力デジタル信号を受けて、希望信号のレベルを検出し、この希望信号レベルに応じてトラッキングフィルタ３のカットオフ周波数ｆｐの周波数ずれをトリミングするようにトラッキングフィルタ３、スイッチ１４及び信号発生回路１５を制御する。
【００７６】
以下、前記トリミング方法の詳細について説明する。
【００７７】
トリミングを実施しない場合には、希望信号レベル検出部１６はスイッチ１４をＰ１側に接続し、信号発生回路１５からは信号が出力されないように制御し、トラッキングフィルタ３のカットオフ周波数ｆｐはトリミングされない。
【００７８】
一方、トリミングを実施する場合、希望信号レベル検出部１６はスイッチ１４をＰ１側からＰ２側に切り換え、信号発生回路１５から所望の希望信号と同一周波数の基準信号を出力するように制御する。信号発生回路１５から出力された基準信号は、スイッチ１４のＰ２端子を介してトラッキングフィルタ３に入力され、利得可変回路５を経由し、ＡＤコンバータ６でデジタル信号に変換される。ＡＤコンバータ６でデジタル信号に変換された基準信号は希望信号レベル検出部１６に入力される。ここで、希望信号レベル検出部１６は、入力された基準信号のレベルが最大となるように、トラッキングフィルタ３のカットオフ周波数ｆｐをトリミングするように図２の可変容量Ｃ１の容量値を可変制御する。
【００７９】
以上のようなトリミング動作を、選局操作毎に選局回路４から指令を受けて、その選局に応じたトラッキングフィルタ３の可変容量Ｃ１の調整前の段階で、実施すれば、トラッキングフィルタ３を構成する部品が経年変化した場合や、周囲温度が変化したことに起因する温度シフトに対して、トラッキングフィルタ３の周波数特性を常に最良の状態で使用することが可能となる。
【００８０】
従って、本実施形態の受信機では、トラッキングフィルタ３のカットオフ周波数ｆｐの周波数ずれを自動でトリミングするので、妨害信号の影響を受け難い良好な復調信号出力を得ることができる。
【産業上の利用可能性】
【００８１】
以上説明したように、本発明は、トラッキングフィルタのカットオフ周波数に応じてその選択度を制御して、妨害信号の影響を受け難い良好な復調信号出力を得ることができるので、トラッキングフィルタを有する受信機、特に、妨害信号のレベルが時々刻々と変化するような移動体向け受信機に適用して、有用である。
【符号の説明】
【００８２】
１        アンテナ
２        ＲＦ増幅器
３        トラッキングフィルタ
Ｌ        インダクタ
Ｃ１      可変容量
４        選局回路
５        利得可変型増幅器
６        ＡＤコンバータ
７        復調部
８        復調信号出力端子
９        選択度制御部
Ｒ１      可変抵抗
Ｒ３      可変抵抗
１０        減衰量制御部
Ｃ２        固定容量
Ｃ３        可変容量
Ｃ４        可変容量
１１        ＤＣ動作点制御部
Ｒ２      可変抵抗
１２        ＡＤコンバータ
１３        妨害信号検出部
１４        スイッチ
１５        信号発生回路
１６        希望信号レベル検出部
１７        信号経路
１８        トリミング手段
【図１】
2012085144.tif 000004
【図２】
2012085144.tif 000005
【図３】
2012085144.tif 000006
【図４】
2012085144.tif 000007
【図５】
2012085144.tif 000008
【図６】
2012085144.tif 000009
【図７】
2012085144.tif 000010
【図８】
2012085144.tif 000011
【図９】
2012085144.tif 000012
【図１０】
2012085144.tif 000013
【図１１】
2012085144.tif 000014
【図１２】
2012085144.tif 000015
【図１３】
2012085144.tif 000016
【図１４】
2012085144.tif 000017